(57)【要約】【課題】帽子の機能、マスクの機能、首後ろ部分及び前部分の日よけの機能を持ち備えたバイザーを提案する。【解決手段】第１の使用状態（第１の姿勢）では、一対の第１の中央側接合部７を一対の本体側接合部６に接合することで覆い部材３をバイザー部２に取り付ける。この第１の使用状態では、覆い部材３によって頭部（頭頂部）が覆われる。この第１の使用状態では、バイザー１は直射日光を防ぐ帽子としての機能を果たすことができ、後部で覆い部材３の両端を結んだ際に覆い部材の端部が垂れることにより、ファッショナブルであり、首後ろ部分の日よけにもなる。【選択図】図１
0003232826.tif 000002
【実用新案登録請求の範囲】
【請求項１】
使用者の頭部の側方を取り囲む筒状本体と、前記頭部の前方に配置されたつばとを有するバイザー部と、
前記筒状本体に取り付けられ、前記本体に着脱可能に設けられた長手を有する矩形状の覆い部材であって、頭部の後方および口の前方の少なくとも一方を覆うことができる覆い部材と、
前方筒状本体の外周に配置された左右一対の本体側接合部と、
前記覆い部材の長手方向に沿う長手辺に沿うように配置された一対の中央側接合部とを含み、
前記一対の前記本体側接合部が、前記頭部の前方中央部から左右に隔てて配置されており、
前記一対の前記中央側接合部が、前記覆い部材の長手方向の中央と、長手方向の両端部との間に配置されており、
前記一対の前記本体側接合部が、前記一対の前記中央側接合部に接合されることにより、前記覆い部材が前記筒状本体に装着される、バイザー。
【請求項２】
前記一対の本体側接合部が、第１の姿勢で前記覆い部材を前記筒状本体に取り付ける際に、前記一対の本体側接合部に接合される一対の第１の中央側接合部と、
前記第１の接合部とは異なる第２の姿勢で前記覆い部材を前記筒状本体に取り付ける際に、前記一対の本体側接合部に接合される一対の第２の中央側接合部とを含む、請求項１に記載のバイザー。
【請求項３】
前記覆い部材の長手辺の両端に配置された一対の両端接合部をさらに含み、
前記一対の前記両端接合部同士が前記第２の姿勢において、互いに接合されるようになっている、請求項２に記載のバイザー。
【請求項４】
前記一対の第１の本体側接合部、前記一対の第２の本体側接合部、および前記一対の両端接合部が、前記覆い部材の前記長手辺に沿って一直線上に並んでいる、請求項３に記載のバイザー。
【考案の詳細な説明】
【技術分野】
【０００１】  本考案は、バイザーに関するものである。
【背景技術】
【０００２】  スポーツやレジャーなど外出時や、工事現場で働く方、庭師として働く方などに必要な日よけの帽子やバイザー、汗を拭くためのタオルが知られている。これに加え、コロナ禍の時代を迎え、飛沫対策としてもマスクの着用が必要となっている。
【考案の概要】
【考案が解決しようとする課題】
【０００３】  帽子やバイザー、タオル、マスクなどの小物を数点必要となる場面で、それぞれを準備し、身に着けたり外したりする際に、小物が多いという不便さと、紛失する可能性がある。
したがって、不便さの解消と、紛失の防止により、前述の欠点を解決しようとするものである。
【課題を解決するための手段】
【０００４】  本考案は、使用者の頭部の側方を取り囲む筒状本体と、前記頭部の前方に配置されたつばとを有するバイザー部と、前記筒状本体に取り付けられ、前記本体に着脱可能に設けられた長手を有する矩形状の覆い部材であって、頭部の後方および口の前方の少なくとも一方を覆うことができる覆い部材と、前方筒状本体の外周に配置された左右一対の本体側接合部と、前記覆い部材の長手方向に沿う長手辺に沿うように配置された一対の中央側接合部とを含み、前記一対の前記本体側接合部が、前記頭部の前方中央部から左右に隔てて配置されており、前記一対の前記中央側接合部が、前記覆い部材の長手方向の中央と、長手方向の両端部との間に配置されており、前記一対の前記本体側接合部が、前記一対の前記中央側接合部に接合されることにより、前記覆い部材が前記筒状本体に装着されるバイザーを提供する。
この考案の一実施形態では、前記一対の本体側接合部が、第１の姿勢で前記覆い部材を前記筒状本体に取り付ける際に、前記一対の本体側接合部に接合される一対の第１の中央側接合部と、前記第１の接合部とは異なる第２の姿勢で前記覆い部材を前記筒状本体に取り付ける際に、前記一対の本体側接合部に接合される一対の第２の中央側接合部とを含む。
この考案の一実施形態では、前記覆い部材の長手辺の両端に配置された一対の両端接合部をさらに含む。そして、前記一対の前記両端接合部同士が前記第２の姿勢において、互いに接合されるようになっている。
この考案の一実施形態では、前記一対の第１の本体側接合部、前記一対の第２の本体側接合部、および前記一対の両端接合部が、前記覆い部材の前記長手辺に沿って一直線上に並んでいる。
【考案の効果】
【０００５】  この考案によれば、バイザー部に覆い部材を取り付けることにより、バイザーに、本来の機能とは異なる機能を発揮させることができる。
【図面の簡単な説明】
【０００６】
【図１】本考案のバイザーの第１の使用状態を示す図である。
【図２】前記バイザーの第２の使用状態を示す図である。
【図３】図１に示すバイザー部を説明するための図である。
【図４】図１に示す覆い部材を説明するための図である。
【考案を実施するための形態】
【０００７】  図１は、本考案のバイザー１の第１の使用状態を示す図である。図２は、バイザー１の第１の使用状態を示す図である。図３は、バイザー部２を説明するための図である。図３（ａ）は、バイザー部２の斜視図であり、図３（ｂ）は、バイザー部２の平面図である。図４は、覆い部材３を説明するための図である。
バイザー１は、使用者の頭部に装着されるバイザー部２と、取り付け可能な覆い部材３とを含む。
図１に示す第１の使用状態では、覆い部材３によって、使用者の頭頂部を含む頭部上部が覆われる。図２に示す第２の使用状態では、覆い部材３によって使用者の口鼻の前方が覆われる。
図３に示すようにバイザー部２は、使用者の頭部の測方を取り囲む筒状本体４と、頭部の前方に配置されるつば部分５とを含む。筒状本体４には、一対の本体側接合部６が取り付けられている。一対の本体側の接合部６は、使用者の頭部の前方中央部から、それぞれ左右に隔てて配置されている。本体側接合部６は、たとえばプランサーボタンである。プランサーボタンはドットボタンであってもよいし、スナップボタンであってもよい。
図４に示すように、覆い部材３は矩形（長方形）の布状部材である。具体的には、覆い部材３は、タオル材（パイル生地）を用いて形成されている。覆い部材３は、互いに対向する一対の長手辺３ａと、互いに対向する一対の短手辺３ｂとを有している。一方の長手辺３ａに沿って、合計６つの接合部が、一直線上に並んで配置されている。６つの接合部は、左右一対の第１の中央側接合部７と、左右一対の第２の中央側接合部８と、左右一対の両端接合部９とを含む。これら６つの接合部７，８，９は、たとえばプランサーボタンである。プランサーボタンはドットボタンであってもよいし、スナップボタンであってもよい。
左右一対の第１の中央側接合部７は、長手辺３ａの中央を挟んで配置されている。左右一対の第２の中央側接合部８は長手辺３ａの中央を挟んで配置されている。第２の中央側接合部８は、第１の中央側接合部７よりも長手方向の外寄りに配置されている。
図１に示す第１の使用状態（第１の姿勢）では、一対の第１の中央側接合部７を一対の本体側接合部６に接合することで覆い部材３をバイザー部２に取り付ける。この第１の使用状態では、覆い部材３によって、使用者の頭部（頭頂部）が覆われる。この第１の使用状態では、バイザー１は直射日光を防ぐ帽子としての機能を果たすことができ、後部で覆い部材３の両端を結んだ際に覆い部材３の端部が垂れることにより、ファッショナブルであり、使用者の首後ろ部分の日よけにもなる。
図２に示す第２の使用状態（第２の姿勢）では、第２の中央側接合部８を一対の本体側接合部６に接合することで、覆い部材３をバイザー部２に取り付ける。そして、一対の両端接合部９が首の後ろで互いに接合される。この第２の使用状態では、覆い部材３によって、使用者の口鼻が覆われる。この第２の使用状態では、バイザー部２は、使用者の首前部分の日よけの機能を果たすとともに、埃や飛沫の対策のためのマスクとしての機能を発揮するようになる。
以上により、この実施形態によれば、バイザー部に覆い部材を取り付けることにより、バイザーに、本来の機能とは異なる機能を発揮させることができる。
【符号の説明】
【０００８】１  バイザー
２  バイザー部
３  覆い部材
３ａ  長手辺
３ｂ  短手辺
４  筒状本体
５  つば
６  本体側接合部
７  第１の中央側接合部
８  第２の中央側接合部
９  両端接合部
【図１】
0003232826.tif 000003
【図２】
0003232826.tif 000004
【図３】
0003232826.tif 000005
【図４】
0003232826.tif 000006
【手続補正書】
【提出日】令和3年3月23日(2021.3.23)
【手続補正１】
【補正対象書類名】実用新案登録請求の範囲
【補正対象項目名】全文
【補正方法】変更
【補正の内容】
【実用新案登録請求の範囲】
【請求項１】
使用者の頭部の側方を取り囲む筒状本体と、前記頭部の前方に配置されたつばとを有するバイザー部と、
前記筒状本体に取り付けられ、前記本体に着脱可能に設けられた長手を有する矩形状の覆い部材であって、頭部の後方および口の前方の少なくとも一方を覆うことができる覆い部材と、
前方筒状本体の外周に配置された左右一対の本体側接合部と、
前記覆い部材の長手方向に沿う長手辺に沿うように配置された一対の中央側接合部とを含み、
前記一対の前記本体側接合部が、前記頭部の前方中央部から左右に隔てて配置されており、
前記一対の前記中央側接合部が、前記覆い部材の長手方向の中央と、長手方向の両端部との間に配置されており、
前記一対の前記本体側接合部が、前記一対の前記中央側接合部に接合されることにより、前記覆い部材が前記筒状本体に装着される、バイザー。
【請求項２】
前記一対の本体側接合部が、第１の姿勢で前記覆い部材を前記筒状本体に取り付ける際に、前記一対の本体側接合部に接合される一対の第１の中央側接合部と、
前記第１の姿勢とは異なる第２の姿勢で前記覆い部材を前記筒状本体に取り付ける際に、前記一対の本体側接合部に接合される一対の第２の中央側接合部とを含む、請求項１に記載のバイザー。
【請求項３】
前記覆い部材の長手辺の両端に配置された一対の両端接合部をさらに含み、
前記一対の前記両端接合部同士が前記第２の姿勢において、互いに接合されるようになっている、請求項２に記載のバイザー。
【請求項４】
前記一対の第１の中央側接合部、前記一対の第２の中央側接合部、および前記一対の両端接合部が、前記覆い部材の前記長手辺に沿って一直線上に並んでいる、請求項３に記載のバイザー。
【手続補正２】
【補正対象書類名】明細書
【補正対象項目名】０００４
【補正方法】変更
【補正の内容】
【０００４】  本考案は、使用者の頭部の側方を取り囲む筒状本体と、前記頭部の前方に配置されたつばとを有するバイザー部と、前記筒状本体に取り付けられ、前記本体に着脱可能に設けられた長手を有する矩形状の覆い部材であって、頭部の後方および口の前方の少なくとも一方を覆うことができる覆い部材と、前方筒状本体の外周に配置された左右一対の本体側接合部と、前記覆い部材の長手方向に沿う長手辺に沿うように配置された一対の中央側接合部とを含み、前記一対の前記本体側接合部が、前記頭部の前方中央部から左右に隔てて配置されており、前記一対の前記中央側接合部が、前記覆い部材の長手方向の中央と、長手方向の両端部との間に配置されており、前記一対の前記本体側接合部が、前記一対の前記中央側接合部に接合されることにより、前記覆い部材が前記筒状本体に装着されるバイザーを提供する。
この考案の一実施形態では、前記一対の本体側接合部が、第１の姿勢で前記覆い部材を前記筒状本体に取り付ける際に、前記一対の本体側接合部に接合される一対の第１の中央側接合部と、前記第１の姿勢とは異なる第２の姿勢で前記覆い部材を前記筒状本体に取り付ける際に、前記一対の本体側接合部に接合される一対の第２の中央側接合部とを含む。
この考案の一実施形態では、前記覆い部材の長手辺の両端に配置された一対の両端接合部をさらに含む。そして、前記一対の前記両端接合部同士が前記第２の姿勢において、互いに接合されるようになっている。
この考案の一実施形態では、前記一対の第１の中央側接合部、前記一対の第２の中央側接合部、および前記一対の両端接合部が、前記覆い部材の前記長手辺に沿って一直線上に並んでいる。